(57)【要約】【課題】表面構造の自由度が高くかつロールの表面を容易に修正可能なロールを提供する。【解決手段】液体の樹脂から固体のフィルムまたはシートを製造する装置が備え、他のロールとロール対を形成することなく、液体の樹脂、固体のフィルムまたは固体のシートが掛け回されるロール５は中心軸を有し、回転駆動装置に連結され、回転駆動装置によって中心軸の周りを回転する回転軸５１を有する。ロール５はさらに、回転軸５１の一方の端部に固定された固定端部５６と、固定端部５６の反対側に位置する自由端部５７と、を有する、回転軸５１と同軸のロール本体５２と、自由端部５７からロール本体５２の外面に嵌められる中空のスリーブ５３と、を有する。【選択図】図３
2018183965.tif 000002
【特許請求の範囲】
【請求項１】
液体の樹脂から固体のフィルムまたはシートを製造する装置が備え、他のロールとロール対を形成することなく、液体の樹脂、固体のフィルムまたは固体のシートが掛け回されるロールであって、
中心軸を有し、回転駆動装置に連結され、前記回転駆動装置によって前記中心軸の周りを回転する回転軸と、
前記回転軸の一方の端部に固定された固定端部と、前記固定端部の反対側に位置する自由端部と、を有する、前記回転軸と同軸のロール本体と、
前記自由端部から前記ロール本体の外面に嵌められる中空のスリーブと、を有するロール。
【請求項２】
前記ロール本体の前記外面の前記固定端部の近傍に、前記ロール本体の中心軸と平行に延びるキーが設けられ、前記スリーブは前記キーと嵌合するキー溝を有する、請求項１に記載のロール。
【請求項３】
前記スリーブの側面を貫通するねじ穴と、前記ねじ穴を通って前記ロール本体に当接するねじと、を有する、請求項１または２に記載のロール。
【請求項４】
請求項１から３のいずれか１項に記載のロールと、
前記ロールの前記回転軸が取り付けられるとともに前記回転軸の前記回転駆動装置を備えた装置本体と、を有する、フィルムまたはシートの製造装置。
【請求項５】
前記ロールの表面から離れて位置するエアナイフを有し、前記エアナイフは前記ロールの前記表面上を通る液体の樹脂、固体のフィルムまたは固体のシートに空気を吹きつけるスリットを備える、請求項４に記載の製造装置。
【請求項６】
前記ロールの表面から離れて位置し、前記ロールの前記表面上を通る液体の樹脂、固体のフィルムまたは固体のシートを帯電させる帯電ワイヤを有する、請求項４に記載の製造装置。
【請求項７】
前記製造装置は試験用の製造装置である、請求項４から６のいずれか１項に記載の製造装置。
【請求項８】
装置本体に取り付けられた回転軸と、
前記回転軸の一方の端部に固定された固定端部と、前記固定端部の反対側に位置する自由端部と、を有する、前記回転軸と同軸のロール本体と、
を有し、他のロールとの間でロール対を形成しないロールを備えた製造装置を用いてフィルムまたはシートを製造する方法であって、
前記自由端部から前記ロール本体の外面に中空のスリーブを嵌めることと、
前記回転軸を回転させながら、前記ロールの表面上に液体の樹脂、固体のフィルムまたは固体のシートを通すことと、を有する、フィルムまたはシートの製造方法。
【発明の詳細な説明】
【技術分野】
【０００１】
本発明はフィルムまたはシートの製造に用いられるロール、ロールを備えたフィルムまたはシートの製造装置、及びロールを用いたフィルムまたはシートの製造方法に関する。
【背景技術】
【０００２】
樹脂のフィルムまたはシートを製造するプロセスは、溶融押出法、溶液流延法、カレンダー成形法の主に３種類に分類できる。溶融押出法では高温で溶融した液状の樹脂をフラットダイから薄くかつ広幅に押し出し、その直後に樹脂を冷却ロールに当接させながら搬送することで、冷却、固化された製品が得られる。溶液流延法では溶媒に溶かした樹脂溶液をフラットダイなどからロールに流し込んで薄膜を形成し、その後加熱して溶媒を蒸発させることで薄膜製品が得られる。カレンダー成形法では互いに平行に延び回転方向が異なる２本のロールの上に加熱溶融した樹脂を流し込み、樹脂をロールの隙間に通しながら、フィルムまたはシート状に圧延し成形を行う。これらのいずれのプロセスでも、液体状態の樹脂を薄くかつ広幅形状に保つために、金属ロールを用いることが多い。
【０００３】
例えば溶融押出法では、一般的に、押し出された溶融樹脂がまず第１のロールで冷却され、次に第１のロールと回転方向が異なる第２のロールで冷却され、その後必要に応じて第３のロールなどで冷却される。このように溶融樹脂はプロセスに応じ１つないし複数の冷却ロールで冷却される。
【０００４】
特許文献１〜３には製鉄で用いられるロールが開示されている。ロールは内側のアーバと外側のスリーブを備えており、スリーブを交換することでロールに望ましい表面特性を付与することができる。
【０００５】
特許文献４には、柔軟性のある極薄のパイプを複数のロールにベルト状に掛け渡すとともに、各ロールに冷却手段が設けられた樹脂シートの製造装置が記載されている。樹脂のフィルムが極薄のパイプの表面に沿った長い区間でパイプに当接するため、シートを効率よく冷却することができる。
【先行技術文献】
【特許文献】
【０００６】
【特許文献１】特開平７−２２７６０５号公報
【特許文献２】実開昭６２−１１３８０３号公報
【特許文献３】実開昭６２−１１３８０４号公報
【特許文献４】特開２００７−６２２４５号公報
【発明の概要】
【発明が解決しようとする課題】
【０００７】
冷却ロールは、高温で溶融状態にある樹脂を冷却、固化しその形状を維持するだけでなく、光沢性、凹凸形状などの表面性状を意図的に付与する役割も担う。例えば光沢性を重視する場合は、表面粗度が非常に細かい鏡面状態に仕上げられたロールが用いられる。しかし、鏡面状態のロールでコシのない柔らかな樹脂を冷却する場合、ロールの剥離性が悪いため、冷却されたシートが必要以上に伸ばされ所望の製品形状が得られないことがあり得る。このような場合は冷却ロールに施す表面処理（メッキ）の種類を変更し、剥離性に優れた表面処理が施されたロールに変更する必要がある。凹凸形状を付与する場合は目的とする凹凸形状をロール表面に施すが、十分な量の溶融樹脂が凹みへ入っていかず形状が十分に転写されないことがある。このような場合はロールの凹凸形状の最適化が必要となる。
【０００８】
しかし、ロールの製作には数ヶ月に渡る製作期間と多大な製作コストが必要となるため、簡単に変更や評価が行えず最適化が困難になる場合がある。特許文献１〜３に記載された技術を適用すれば、スリーブだけを交換すればよいのでロールの表面性状の最適化が容易となる。しかし、スリーブを交換するには、その都度ロールを製造装置の本体から取り外し、スリーブを交換し再度ロールを取り付けることが必要となる。その作業は１日程度を要すると考えられ、スリーブの最適化のために数度のスリーブ交換を行うことは実質的に不可能である。煩雑な作業が必要となるため、作業安全性やロールの平行度のばらつきなどの問題も生じる。また、樹脂の製造に使用されるロールは、製鉄で用いられるロールと比べて寿命が長く、半永久的に使用が可能である。このためロールを定期的に交換する必要性に乏しく、ロールの表面性状の最適化が一層困難である。
【０００９】
特許文献４に記載された極薄パイプは複数のロールに掛け渡す構造であるため、交換可能なスリーブとして利用することができる。しかし、構造上、薄肉パイプに凹凸形状を付与することは現実的に不可能であり、ロールの表面性状の最適化に限界がある。
【００１０】
本発明は、表面構造の自由度が高くかつロールの表面を容易に修正可能なロールを提供することを目的とする。
【課題を解決するための手段】
【００１１】
本発明は、液体の樹脂から固体のフィルムまたはシートを製造する装置が備え、他のロールとロール対を形成することなく、液体の樹脂、固体のフィルムまたは固体のシートが掛け回されるロールに関する。ロールは、中心軸を有し、回転駆動装置に連結され、回転駆動装置によって中心軸の周りを回転する回転軸を有する。ロールはさらに、回転軸の一方の端部に固定された固定端部と、固定端部の反対側に位置する自由端部と、を有する、回転軸と同軸のロール本体と、自由端部からロール本体の外面に嵌められる中空のスリーブと、を有する。
【００１２】
中空のスリーブはロール本体の自由端部からロール本体の外面に嵌めることができるため、交換が容易である。また、スリーブの構成には大きな制約がないため、表面の特性を自由に調整することができる。さらに、中空のスリーブは自由端部からロール本体の外面に嵌める構成となっているため、スリーブの交換の際にロール本体を装置本体から取り外す必要がない。
【発明の効果】
【００１３】
従って、発明によれば、表面構造の自由度が高くかつロールの表面を容易に修正可能なロールを提供することができる。
【図面の簡単な説明】
【００１４】
【図１】本発明のフィルムまたはシートの製造装置の概略図である。
【図２】製造装置の操作側からみた部分正面図である。
【図３】本発明のロールの斜視図である。
【図４】本発明のロールの分解斜視図である。
【図５】本発明のロールにおけるスリーブの交換手順を示すフロー図である。
【図６】一体型のロールにおけるスリーブの交換手順を示すフロー図である。
【発明を実施するための形態】
【００１５】
以下、図面を参照して本発明の実施形態を説明する。
【００１６】
図１は、液体の樹脂から固体のフィルムまたはシートを製造する製造装置の概略図である。製造装置１は製造装置自体の試験設備として用いられる小型の装置である。試験用装置では生産機と同程度の径と幅を有するロールを使用する必要はなく、小径で狭幅のロールを用いることができる。押出機や樹脂配管などの図示は省略している。製造装置１は装置本体２と、装置本体２に取り付けられたフラットダイ３及びシート冷却・巻き取り装置４を有している。シート冷却・巻き取り装置４は溶融樹脂や固体化したフィルムまたはシートを搬送しながら冷却するための複数のロールを備えている。
【００１７】
本実施形態では、全てのロールは装置本体２から同一方向に互いに平行に延びる片持ち梁構造となっている。すなわち、ロールの一端は装置本体２に支持され、他端は装置本体２に支持されていない自由端部となっている。ロールの自由端部側には駆動軸、冷却配管、筐体などがなく、装置操作やシート製造のための人員が容易にアクセス可能となっている。このため、ロールの自由端部側を操作側と呼ぶことがある。
【００１８】
フラットダイ３から吐出された溶融樹脂Ｆは、第１の冷却ロール５及び第２の冷却ロール７で固化した後に巻き取られる。第１の冷却ロール５は第２の冷却ロール７から離れており、また、タッチロールなど、第１の冷却ロール５とロール対を形成するロールも設けられていない。すなわち、第１の冷却ロール５は単独で溶融樹脂Ｆを巻きとり、溶融樹脂Ｆを冷却し、第２の冷却ロール７に引き渡す。製造装置１は、溶融樹脂Ｆを第１の冷却ロール５に密着させるためのエアナイフ６を備えている。
【００１９】
図２（ａ）は、製造装置１の操作側からみた部分正面図を示している。エアナイフ６は、第１の冷却ロール５の表面を掛け回される溶融樹脂Ｆに空気を吹きつけるスリット１１と、空気導入部１２とを備えている。スリット１１は、溶融樹脂Ｆが第１の冷却ロール５に巻き付けられる位置の近傍に、第１の冷却ロール５の表面から離れて位置している。スリット１１は少なくともフラットダイ３の吐出口の幅（各ロールの軸方向と平行な方向の吐出口の長さ）と同程度の幅を有し、フラットダイ３から吐出された溶融樹脂Ｆの全幅に渡って空気を吹き付けることができる。空気導入部１２から導入された空気は、スリット１１から溶融樹脂Ｆに向けて吹き付けられ、溶融樹脂Ｆを第１の冷却ロール５に密着させる。
【００２０】
図２（ｂ）に示すように、エアナイフ６の代わりに帯電ワイヤ１３を設けてもよい。帯電ワイヤ１３は電荷を与えられて帯電したワイヤであり、少なくともフラットダイ３の吐出口の幅と同程度の幅を有している。帯電ワイヤ１３は第１の冷却ロール５の表面から離れて位置しており、第１の冷却ロール５の表面を掛け回される溶融樹脂Ｆを帯電させる。帯電した溶融樹脂Ｆは静電気によって第１の冷却ロール５に引き付けられ、第１の冷却ロール５に密着させられる。エアナイフ６はポリプロピレンのように帯電性を有しない樹脂に対して好適に用いることができ、帯電ワイヤ１３はＰＥＴ（ポリエチレンテレフタラート）、ナイロンのように帯電性を有する樹脂に対して好適に用いることができる。なお、エアナイフ６と帯電ワイヤ１３は省略することもできる。
【００２１】
溶融樹脂Ｆは第１の冷却ロール５の表面上を掛け回されながら冷却されて固体のシートＦ’になるとともに、表面光沢が付与される。第１の冷却ロール５は、溶融樹脂Ｆの第１の冷却ロール５との接触面を冷却し、表面光沢を付与する。第１の冷却ロール５及び第２の冷却ロール７には冷却水が循環する温度制御機構（図示せず）が設けられている。製造装置１はさらに第３の冷却ロール８と巻取り軸９を備えている。溶融樹脂Ｆが固化したシートＦ’は第３の冷却ロール８でさらに冷却され、巻取り軸９に巻きとられる。
【００２２】
第１の冷却ロール５は完全に溶融した溶融樹脂Ｆに接触し、ロールの表面粗度に応じた表面形状を溶融樹脂Ｆに転写しながら溶融樹脂Ｆの冷却、固化を行う重要な役割を担う。本実施形態においては、第１の冷却ロール５にスリーブ交換方式のロールを採用し、操作側から容易にスリーブの交換が可能となっている。
【００２３】
図３及び図４にスリーブ式ロールの構造を示す。図３はロールの斜視図であり、図４はロール本体からスリーブが引き抜かれた状態を示すロールの分解斜視図である。ロール５は、装置本体２に取り付けられた回転軸５１と、回転軸５１に固定されたロール本体５２と、ロール本体５２に嵌められるスリーブ５３と、を有している。回転軸５１とロール本体５２は一体形成されているが、溶接、ボルト締め、圧入などの適宜の方法で相互に固定されていてもよい。
【００２４】
回転軸５１はその両端付近で、軸受（図示せず）によって装置本体２に回転可能に支持されている。回転軸５１の一端にはモータに接続されたギアなどからなる回転駆動装置（図示せず）が連結されている。回転軸５１の一端には回転軸５１と回転駆動装置を連結するためのキーを受け入れるキー溝５４が設けられている。回転軸５１の当該一端には冷却水の供給と排出のためのロータリージョイント（図示せず）が設けられている。回転軸５１の内部にはロータリージョイントと連通する冷却水の流路（図示せず）が設けられている。
【００２５】
ロール本体５２は回転軸５１より大きな径を有する円筒形状の回転体である。ロール本体５２は回転軸５１と同軸の中心軸５５を有し、回転軸５１とともに中心軸５５の周りを回転する。ロール本体５２は回転軸５１の一方の端部に固定された固定端部５６と、中心軸５５に関し固定端部５６の反対側に位置する自由端部５７と、を有している。従って、ロール本体５２は固定端部５６が回転軸５１に固定された片持ち梁の構造を有している。ロール本体５２の固定端部５６にはスリーブ５３の位置決めのためのフランジ６０が設けられている。ロール本体５２の外面には固定端部５６の近傍、すなわちフランジ６０の内側面から自由端部５７に向けて中心軸５５と平行に延びる２つのキー５８が形成されている（一つのキー５８のみを図示）。ロール本体５２の内部には回転軸５１の内部の流路と連通する冷却水の流路（図示せず）が設けられている。
【００２６】
スリーブ５３はロール本体５２の外面に嵌められる中空の円筒形状を有している。スリーブ５３の一端にはキー５８と嵌合する２つのキー溝５９を有している（一つのキー溝５９のみを図示）。キー５８がスリーブ５３のキー溝５９と一致するようにスリーブ５３をロール本体５２に嵌め込むことで、スリーブ５３はロール本体５２と一体となって回転可能となる。スリーブ５３の操作側の先端にはスリーブ５３固定用のねじ６１が挿入できるねじ穴６２が設けられている。ねじ６１を十分なトルクでねじ込み、ねじ６１の先端をロール本体５２に押し付けることでスリーブ５３はロール本体５２にしっかりと固定される。これによって、シートの製造時にスリーブ５３が操作側へ抜け出すことが防止される。スリーブ５３に設けられたキー溝５９とねじ穴６２によってロール５の幅方向の有効長（シートが接する幅方向領域）が低減するが、これらは冷却水が十分に循環できず温度が不安定になる領域に設けられ、シートが接する領域には設けられないため、実質的には問題とならない。
【００２７】
（実施例１）
以下、本発明を実施例によってさらに詳細に説明する。図３に示すスリーブ式ロール５は、ロール５の径（スリーブ５３の外形）がφ２５０ｍｍ、幅が３５０ｍｍ（スリーブ５３の幅は３４０ｍｍ）、スリーブ５３の肉厚は１０ｍｍ（スリーブ５３の内径がφ２３０ｍｍ）である。スリーブ５３を固定するためのキー５８とねじ穴６２は２カ所ずつ設けてある。スリーブ５３は炭素鋼で作られており、その重量はおよそ２０ｋｇである。そのため、スリーブ５３の交換の際にスリーブ５３を手持ちで取り外すことも可能であり、また安全性を考慮しクレーンなどでスリーブ５３を吊って交換することも可能である。図５４に実施例におけるスリーブ５３の交換手順を示す。スリーブ５３を手持ちで交換する場合、交換に必要な工具はねじ６０の緩め及び固定作業に用いる六角レンチ１本のみである。安全性を考慮しスリーブ５３の脱着にクレーンを用い、作業員１名による作業を実施したところ、交換に要した時間は８分であった。
【００２８】
図６は、比較例として、一般的な両支持（両持ち）方式の冷却ロールの交換手順を示す。この方式ではロール全体の脱着を行わなければならないため多くの工程が必要であり、さらには新規製作後に初めて使用するロールの場合は付属部品の取り付けが必要になるため、その作業工程は増加する。比較例のシート製造装置は両支持方式のロールを有し、ロール幅が１２００ｍｍである。ロールは第１の冷却ロールと、第２の冷却ロールで構成されている。第１の冷却ロールの交換を実施した。新規に装着したロールは既に数度にわたる使用実績があるため、軸受等は既に装着済みである。ロール交換は図６に従って行い、２名による作業で７５分の時間を要した。比較例の両支持ロールは比較的幅広であったが、仮に実施例のスリーブ式ロールと同等の幅だった場合、ロールが軽量化しベアリングケースも小型化される。しかし、図６の交換手順は全て実施する必要があり作業の煩雑性に大きな差異が生じないため、その交換時間は高々１５分程度短縮され６０分程度であると推測される。
【００２９】
（実施例２）
冷却ロールをスリーブ式にすることで最も懸念されることがシートの冷却効率の低下である。ロール本体５２は冷却水が循環するためあらかじめ定められた設定温度に調整できるが、その熱量が効率よくスリーブ５３へ伝達されずに、スリーブ５３表面の温度を十分に制御できない可能性がある。本実施例では、ロールの設定温度における熱膨張がロール本体５２とスリーブ５３で同一となるように、ロール本体５２とスリーブ５３を炭素鋼の同一素材で製作し、またスリーブ５３とロール本体５２との隙間が極力小さくなる寸法で製作を行った。ロール本体５２とスリーブ５３の熱膨張率を合せることで、スリーブ式ロールを加熱または冷却する際の、ロール本体５２とスリーブ５３の間のクリアランスの変化を抑えることができる。これによって、ロール本体５２とスリーブ５３の間の熱移動量の変化が抑えられ、また、ロール本体５２が熱膨張することによるスリーブ５３の変形、真円度の変化などが生じにくくなる。一体型ロールとスリーブ式ロールは同一仕様の冷温調節機能を有する水循環装置に接続し、同じ設定温度でロールの温度調節を行った。表１に、外気温８℃、ロール設定温度３０℃及び４５℃の条件にて、同一外形寸法の一体型ロール（比較例）とスリーブ式ロール（実施例）の表面温度を測定した結果を示す。外気温度と設定温度には２２℃及び３７℃の比較的大きな差があるが、スリーブ式ロールの表面温度は一体型ロールのそれとほぼ同じであり、スリーブ式ロールの冷却能力は低下しないことが判明した。なお、表中「反操作側」は操作側の反対側を意味する。
【００３０】
【表１】
2018183965.tif 000003
【００３１】
以上、本発明を溶融押出法によるシート製造装置１を例に説明したが、本発明は溶液流延法及びカレンダー法にも適用することができる。溶液流延法に本発明のスリーブ式ロールを適用する場合は、溶液を流し込むロールにスリーブ式ロールを採用することができる。これにより、ロール上で溶媒を蒸発し固化フィルムを得る工程で様々なロール表面処理による効果を検証することができる。カレンダー法においては圧延工程のロールに本発明のスリーブ式ロールを適用することができる。また、樹脂を最終的に冷却し固化させるロールに本発明のスリーブ式ロールを適用することで、様々な凹凸形状の試行ができる。このように、溶融押出法、溶液流延法及びカレンダー法のいずれでも、短時間で効率的な検証実験が可能である。従って、本発明はロールを用いたフィルムまたはシートの製造プロセス全般に適用可能である。さらに、本発明が適用されるロールは溶融した液体の樹脂が通るロールに限定されず、固体のフィルムまたは固体のシートが通るものであってもよい。また、本発明は試験用の装置だけでなく小規模の生産装置にも適用することができる。例えば、表面処理の異なる製品を少量ずつ生産する場合に、本発明のスリーブ式ロールを好適に適用することができる。
【符号の説明】
【００３２】
１  フィルムまたはシートの製造装置
２  装置本体
５  第１の冷却ロール
６  エアナイフ
７  第２の冷却ロール
１３  帯電ワイヤ
５１  回転軸
５２  ロール本体
５３  スリーブ
５４  キー溝
５５  中心軸
５６  固定端部
５７  自由端部
５８  キー
５９  キー溝
６０  ねじ
６１  ねじ穴
Ｆ  樹脂
Ｆ’  シート
【図１】
2018183965.tif 000004
【図２】
2018183965.tif 000005
【図３】
2018183965.tif 000006
【図４】
2018183965.tif 000007
【図５】
2018183965.tif 000008
【図６】
2018183965.tif 000009
【手続補正書】
【提出日】平成30年4月19日(2018.4.19)
【手続補正１】
【補正対象書類名】特許請求の範囲
【補正対象項目名】請求項１
【補正方法】変更
【補正の内容】
【請求項１】
液体の樹脂から固体のフィルムまたはシートを製造する装置が備え、他のロールとロール対を形成することなく、液体の樹脂、固体のフィルムまたは固体のシートが掛け回されるロールであって、
中心軸を有し、回転駆動装置に連結され、前記回転駆動装置によって前記中心軸の周りを回転する回転軸と、
前記回転軸の一方の端部に固定された固定端部と、前記固定端部の反対側に位置する自由端部と、を有する、前記回転軸と同軸のロール本体と、
前記自由端部から前記ロール本体の外面に嵌められる中空のスリーブと、を有し、前記回転軸を回転させながら前記液体の樹脂、前記固体のフィルムまたは前記固体のシートを前記ロールに掛け回す際に前記自由端部が拘束されない、ロール。
【手続補正２】
【補正対象書類名】特許請求の範囲
【補正対象項目名】請求項８
【補正方法】変更
【補正の内容】
【請求項８】
装置本体に取り付けられた回転軸と、
前記回転軸の一方の端部に固定された固定端部と、前記固定端部の反対側に位置する自由端部と、を有する、前記回転軸と同軸のロール本体と、
を有し、他のロールとの間でロール対を形成しないロールを備えた製造装置を用いてフィルムまたはシートを製造する方法であって、
前記自由端部から前記ロール本体の外面に中空のスリーブを嵌めることと、
前記回転軸を回転させながら、且つ前記自由端部が拘束されない状態で、前記ロールの表面上に液体の樹脂、固体のフィルムまたは固体のシートを通すことと、を有する、フィルムまたはシートの製造方法。
【手続補正３】
【補正対象書類名】明細書
【補正対象項目名】００１１
【補正方法】変更
【補正の内容】
【００１１】
本発明は、液体の樹脂から固体のフィルムまたはシートを製造する装置が備え、他のロールとロール対を形成することなく、液体の樹脂、固体のフィルムまたは固体のシートが掛け回されるロールに関する。ロールは、中心軸を有し、回転駆動装置に連結され、回転駆動装置によって中心軸の周りを回転する回転軸を有する。ロールはさらに、回転軸の一方の端部に固定された固定端部と、固定端部の反対側に位置する自由端部と、を有する、回転軸と同軸のロール本体と、自由端部からロール本体の外面に嵌められる中空のスリーブと、を有する。回転軸を回転させながら液体の樹脂、固体のフィルムまたは固体のシートをロールに掛け回す際に自由端部が拘束されない。